(57)【要約】【課題】通信網を介してカラオケ録音データを利用者コンピュータにダウンロードさせるための柔軟な手続をとることができるカラオケ録音販売システムを提供する。【解決手段】カラオケ演奏端末は、カラオケ伴奏音楽の演奏とともに歌唱用マイクロホンで採取した利用者の歌声を録音して歌声録音ファイルを作成する手段と、その録音ファイルを利用者ＩＤと楽曲ＩＤに対応づけしてホスト装置に転送する手段とを備え、ホスト装置は、カラオケ演奏端末から転送されている利用者ＩＤ・楽曲ＩＤ・録音ファイルを保管する手段と、楽曲ＩＤごとに音楽著作権情報を管理するための著作権データベースと、利用者ＩＤごとの販売情報を管理するための課金データベースと、通信網を介してアクセスしてきた利用者コンピュータと通信して利用者ＩＤを取得する手段と、取得した利用者ＩＤに対応づけて保管されている録音ファイルを利用者コンピュータに転送する手段と、録音ファイルを利用者コンピュータに転送することに伴って課金データベースに該当利用者ＩＤへの販売情報を書き込む手段とを備える。【選択図】      図４
2004301884.tif 000002
【特許請求の範囲】
【請求項１】
ホスト装置と多数のカラオケ演奏端末とが通信網で結合された通信カラオケシステムにおけるカラオケ録音販売システムであって、
カラオケ演奏端末は、カラオケ伴奏音楽の演奏とともに歌唱用マイクロホンで採取した利用者の歌声を録音して歌声録音ファイルを作成する手段と、その録音ファイルを利用者ＩＤと楽曲ＩＤに対応づけしてホスト装置に転送する手段とを備え、
ホスト装置は、カラオケ演奏端末から転送されている利用者ＩＤ・楽曲ＩＤ・録音ファイルを保管する手段と、楽曲ＩＤごとに音楽著作権情報を管理するための著作権データベースと、利用者ＩＤごとの販売情報を管理するための課金データベースと、通信網を介してアクセスしてきた利用者コンピュータと通信して利用者ＩＤを取得する手段と、取得した利用者ＩＤに対応づけて保管されている録音ファイルを利用者コンピュータに転送する手段と、録音ファイルを利用者コンピュータに転送することに伴って課金データベースに該当利用者ＩＤへの販売情報を書き込む手段とを備え、
たことを特徴とするカラオケ録音販売システム。
【請求項２】
請求項１において、ホスト装置は、カラオケ演奏端末から転送されてきた録音ファイルを加工して携帯電話機用の着信メロディのデータ形式に変換するデータ変換手段を備え、変換したデータを販売用の録音ファイルとして保管することを特徴とするカラオケ録音販売システム。
【発明の詳細な説明】
【０００１】
【発明が属する技術分野】
この発明は、カラオケ利用者の歌唱音声を録音して販売するカラオケ録音販売システムに関し、特にホスト装置に録音ファイルを保管しておいてその後に利用者コンピュータに対して販売する技術に関する。
【０００２】
【従来の技術】
カラオケ店舗などでオプションサービスとしてカラオケ演奏端末に合わせて音響出力されるカラオケ伴奏音楽と、その音楽に合わせて歌う利用者の歌唱音声とを、ＣＤなどの適宜な録音媒体に録音できるカラオケ録音サービスを提供しているところがある。
【０００３】
一方、カラオケ演奏には著作権者の許諾が必要であって、著作権使用料を支払わなければならない。これに対してカラオケ録音は、カラオケ伴奏音楽とその音楽に合わせて歌う歌唱音声とを記録媒体に録音するものである。楽曲によっては伴奏音楽を録音すること自体が禁止されているものもあるが、一般的には私的録音行為として見なされ、著作権使用料は不要とされる場合が多い。しかし、利用者が故意にマイクロホンに音声を入力しなければカラオケ伴奏音楽のみを録音することが可能であって、作成された録音済み記録媒体は、そのままカラオケ用途に再利用できる。このような行為を許容すると、不正な「海賊版カラオケソフト」の作成を助長しかねない。そのため、カラオケ録音には著作権をめぐる複雑な手続や対応が必要とされる。
【０００４】
このような事情に基づいて、下記特許文献１には著作権を考慮した録音機能を備えたカラオケ録音装置について本出願人によって開示されている。
この技術は、カラオケ伴奏音楽の音響信号を取得するための第１録音入力インタフェースと、マイクロホンからの歌唱音声の音響信号を取得するための第２録音入力インタフェースと、可搬型記録媒体にデータを書き込むデータ書込装置と、カラオケ伴奏音楽の音響信号と歌唱音声の音響信号との混合信号を楽曲単位の録音ファイルにする手段と、録音ファイルをデータ書込装置により可搬型記録媒体に書き込むための手段と、カラオケ伴奏音楽の演奏中に第２録音入力インタフェースからの音響信号が実質的に無かったどうかを検出する音声レベル検出手段と、音声レベル検出手段による検出結果を録音ファイルの付帯情報として適宜に出力する手段とを備えたものである。
【０００５】
このような技術によれば、カラオケ歌唱を録音した記録媒体の販売によって、利用者の手元に記録媒体を残せるとともに、著作権者の条件に合わせた著作権使用料の徴収も可能となる。
【０００６】
【特許文献１】
特開２００２−１８２６６７号公報
【０００７】
【発明が解決しようとする課題】
インターネットで自宅のパソコンや携帯電話機に音楽をダウンロードできるサービスを利用する人は多い。そこでカラオケ録音したものを自宅のパソコンや携帯電話機にダウンロードできるサービスがあれば流行るだろうと本発明者らは考えた。
【０００８】
とくに、近年の携帯電話機の普及と高性能化はめざましいものがある。若者層を中心とした代表的な携帯電話機の利用方法（サービス）として、着メロのダウンロードサイトは依然として流行りがすたることなく衰えを知らない。次々と新曲の着メロがダウンロードできるように更新されている。さらに芸能人や雑誌モデルなどの音声を着メロにできる「着ごえ」といわれるものも出現している。そこで本発明者らは、利用者コンピュータとして携帯電話機を利用者コンピュータとして、自分の歌声を録音して着メロ（着ごえ）として利用できるサービスがあれば面白く流行るのではないかと考えた。
【０００９】
一方、カラオケ録音データの取り扱いには、前述したように著作権をめぐる複雑な手続や対応が必要となる。しかし上記のような従来の技術によっても、通信網を介した利用者コンピュータに対するカラオケ録音データのダウンロードは想定されておらず対応できない。
【００１０】
そこで本発明の目的は、通信網を介してカラオケ録音データを利用者コンピュータにダウンロードさせるための柔軟な手続をとることができるカラオケ録音販売システムを提供することにある。
【００１１】
【課題を解決するための手段】
この発明は、ホスト装置と多数のカラオケ演奏端末とが通信網で結合された通信カラオケシステムにおけるカラオケ録音販売システムであって、カラオケ演奏端末は、カラオケ伴奏音楽の演奏とともに歌唱用マイクロホンで採取した利用者の歌声を録音して歌声録音ファイルを作成する手段と、その録音ファイルを利用者ＩＤと楽曲ＩＤに対応づけしてホスト装置に転送する手段とを備え、ホスト装置は、カラオケ演奏端末から転送されている利用者ＩＤ・楽曲ＩＤ・録音ファイルを保管する手段と、楽曲ＩＤごとに音楽著作権情報を管理するための著作権データベースと、利用者ＩＤごとの販売情報を管理するための課金データベースと、通信網を介してアクセスしてきた利用者コンピュータと通信して利用者ＩＤを取得する手段と、取得した利用者ＩＤに対応づけて保管されている録音ファイルを利用者コンピュータに転送する手段と、録音ファイルを利用者コンピュータに転送することに伴って課金データベースに該当利用者ＩＤへの販売情報を書き込む手段とを備えたことを特徴とするものである。
【００１２】
望ましくは、ホスト装置は、カラオケ演奏端末から転送されてきた録音ファイルを加工して携帯電話機用の着信メロディのデータ形式に変換するデータ変換手段を備え、変換したデータを販売用の録音ファイルとして保管する。
【００１３】
【発明の実施の形態】
＝＝＝システムの概要＝＝＝
本実施例は、利用者コンピュータとして利用者の所持する携帯電話機を用いるものである。まず、この携帯電話機をリモコン送信器として用いてカラオケ演奏端末に演奏予約した楽曲について、歌声を録音して所定形式の録音ファイルを作成し、カラオケ利用者支援サーバー（ホスト装置）に転送し預託しておく（歌声録音機能）。そして、カラオケの後に利用者がこの携帯電話機を用いてカラオケ利用者支援サーバーにアクセスして録音ファイルを着メロとしてダウンロードすることを許可するとともに、この利用者に課金する（録音ファイル販売機能）。
【００１４】
図１にはこの発明の一実施例にかかるカラオケ利用者支援サーバーを用いたシステムの構成例を示している。カラオケ利用者支援サーバー１はカラオケ事業者により運営されるコンピュータである。このサーバー１は、ウェブサーバーの機能も備えており、ＩＳＰなどを介してインターネット２に接続されている。カラオケ利用者支援サーバー１には、楽曲索引データベース３および著作権データベース４が備わっている。
【００１５】
楽曲索引データベース３には、楽曲名、アーティスト名、ジャンル、歌い出しなどのカラオケ演奏端末６で利用できるカラオケ楽曲の属性情報が楽曲ＩＤをキーにして集約され管理されている。
【００１６】
また、著作権データベース４には、各カラオケ楽曲について著作権の許諾番号や録音に対する著作権料などの情報が楽曲ＩＤをキーにして集約され管理されている。
【００１７】
カラオケ利用者支援サーバー１には、インターネット２に接続された携帯電話機７からインターネット２を介して送られてくるアクセス要求に応じて、楽曲索引データベース３に蓄積されている属性情報を閲覧させたり選曲させたりするウェブコンテンツが稼働している。サーバー１の楽曲索引データベース３および著作権データベース４の内容は、カラオケ演奏端末６のカラオケデータベースの更新にともなって更新されるようになっている。たとえば、カラオケホスト装置との適宜な通信の機会に最新のカラオケ楽曲の内容を反映したデータを受信して更新される。
【００１８】
携帯電話機７にはブルートゥースインタフェースやＩｒＤＡインタフェースなどの無線インタフェースを備えている。また、ＪＡＶＡアプレット実行機能が備わっており、必要に応じてカラオケ利用者支援サーバー１からプログラムを受け取って実行することが可能である。
なお、カラオケ利用者支援サーバー１には、インターネット２を介さずに移動通信網８に直接接続され、携帯電話機７と移動通信網８を介してデータ通信する構成も適用可能である。
【００１９】
カラオケ演奏端末６は、周知の構成からなるパソコン相当のコンピュータ応用機器である。中央処理装置がＣＰＵ・ＲＡＭ・ＲＯＭを含むコンピュータ本体であって、大容量の外部記憶としてハードディスク装置とＣＤ−ＲＯＭやＤＶＤ−ＲＯＭを再生する光ディスク装置と、公衆電話回線を介してカラオケホスト装置と通信する通信制御装置と、利用者からの入力と利用者に向けての応答をやりとりするリモコン操作器や本体の操作パネルなどの利用者インタフェース装置（無線インタフェースを含む）と、ＭＩＤＩ形式の音楽演奏データに基づいて伴奏音楽の音響信号を生成する音楽生成装置と、伴奏音楽やマイクロホンからの音響信号を増幅してスピーカから発音するオーディオアンプと、ＣＲＴやＬＣＤ・ＰＤＰなどを用いたディスプレイと、このディスプレイに表示すべき映像データを処理する映像処理装置とを備えている。他に本発明に特徴的な録音歌唱機能（後述）を担う録音装置を備えている点以外は周知のとおりである。
ここで、カラオケ演奏端末６や携帯電話機７に備える無線インタフェースはＩｒＤＡインタフェースに限定するものではない。すなわち、携帯電話機７からカラオケ演奏端末６へ送信する無線信号はＩｒＤＡ信号に限定するものではなく、ブルートゥース信号などの他形式の無線信号も適用可能である。
【００２０】
利用者は、所有の携帯電話機７でインターネット２を介してカラオケ利用者支援サーバー１にアクセスし、所定の対話インタフェースにしたがって楽曲索引データベース３を駆使してカラオケで歌いたい楽曲を検索し、カラオケ演奏端末６に演奏予約する。例えば、携帯電話機７のディスプレイに利用者とのユーザインタフェースを提供する目次本プログラムをサーバー１上に用意しておき、携帯電話機７はこのプログラムをダウンロードして利用する。この目次本プログラムは、楽曲索引データベースを用いてリクエスト楽曲を検索するとともに、カラオケ演奏に際して録音を予約するコマンドを発信するためのユーザインタフェースを提供する。利用者が探していた楽曲にたどり着き、カラオケ演奏および録音を予約する所定の操作を行うと、この楽曲についての楽曲予約コマンドを含んだＩｒＤＡ信号がカラオケ演奏端末６に向けて発信される。カラオケ演奏端末６では、この楽曲予約コマンドに基づいて演奏予約の待ち行列に登録する。
なお、録音予約の方式は、上記のように利用者が所有する携帯電話機７による方式に限るものではない。カラオケ演奏端末６本体の操作パネルや、いわゆる電子目次本などの利用者に共通のリモコン装置によって、利用者が利用者ＩＤと楽曲ＩＤを指定して録音を予約するユーザインタフェースを用意して、これらの利用者ＩＤと楽曲ＩＤとを含む楽曲予約コマンドをカラオケ演奏端末６に入力する方式も本実施例の範囲内である。
以下、歌声録音機能および録音ファイル販売機能とそれらのユーザインタフェースについて説明する。
【００２１】
＝＝＝歌声録音機能＝＝＝
図２にカラオケ演奏端末６における歌声録音機能実行時の処理フロー図を示している。携帯電話機７が発信する楽曲予約コマンドには、リクエスト楽曲の楽曲ＩＤとともに、発信元の携帯電話機の電話番号や製造番号等からなる利用者ＩＤが含まれる。カラオケ演奏端末６では、近辺の携帯電話機７から楽曲予約コマンドを受け取ると、これに含まれている楽曲ＩＤと利用者ＩＤとを対応づけして演奏予約の待ち行列に登録する。
【００２２】
カラオケ演奏端末６では、この楽曲の演奏を開始すると、音響出力した伴奏音楽を録音装置に入力するとともに、伴奏音楽に合わせて歌唱する利用者の歌声をマイクロホンから採取して録音装置に入力する（図２のステップ２０１）。録音装置では、伴奏音楽と歌声とをＡＤＰＣＭ形式の録音データとして適宜なメモリに記憶する（ステップ２０２）。演奏終了後には、演奏予約の待ち行列に対応づけされている楽曲ＩＤおよび利用者ＩＤとともにこの録音データをカラオケ利用者支援サーバー１に転送する（ステップ２０３〜２０４）。
【００２３】
カラオケ利用者支援サーバー１では、カラオケ演奏端末６から受け取った録音データを適宜な形式（本実施例においては、携帯電話機の着信メロディに利用可能なＭＰ３形式）に変換してメモリに記憶するとともに、その所在情報を楽曲ＩＤおよび利用者ＩＤと対応づけして、録音ファイルとして保管し管理しておく。図３にこの録音ファイルの構成例を示している。この図のように、録音ファイルは、楽曲ＩＤと利用者ＩＤを特定すると、これらに対応づけされた録音データの所在情報がわかり、所在情報に基づいて録音データをメモリから取り出せる構成になっている。
【００２４】
＝＝＝録音ファイル販売機能＝＝＝
上記手順にしたがって歌声を録音した利用者が、所有する携帯電話機７を用いて自宅などからカラオケ利用者支援サーバー１にアクセスし、ユーザインタフェースにしたがってダウンロードしたい録音ファイルを指定する。この際に必要な録音ファイル販売プログラムもサーバー１に用意されており、携帯電話機７でアクセスしてダウンロードすることにより、録音ファイル販売機能を利用することが可能となる。
【００２５】
図４に録音ファイル販売機能実行時の処理フロー図を示している。また、図５に録音ファイル販売機能の利用時に携帯電話機７のディスプレイに表示される画面例を示している。カラオケ利用者支援サーバー１は、携帯電話機７がアクセスした際には、ユーザインタフェースを介して利用者ＩＤの転送を要求し（図４のステップ４０１、図５の（Ａ））、受け取った利用者ＩＤに基づいて認証する（ステップ４０２）。なお、この認証は、利用者が利用者ＩＤを入力する方式であってもよいし、携帯電話機７がサーバー１にアクセスした際に無線信号から自動的に利用者ＩＤを読み取って認証する方式であってもよい。
【００２６】
認証の結果、上記歌声録音機能により歌声を録音済みの利用者であると認証されたなら、その利用者ＩＤに対応づけされている楽曲のリストを携帯電話機７のディスプレイに表示する。例えば、楽曲ＩＤに基づいて楽曲名を一覧表示する（Ｂ）。その中から利用者が楽曲を特定すると（ステップ４０３）、その楽曲について、サーバー１は著作権データベース４を参照して販売可否やその著作権料などを確認し（ステップ４０４〜４０５）、利用者にそれらの著作権情報を提示する（Ｃ）。
【００２７】
利用者が指定した楽曲についてその録音ファイルのダウンロードを希望した場合には、サーバー１は録音データの所在情報を参照し、録音データを携帯電話機７に転送する（ステップ４０６〜４０７）。また、この録音ファイルに関する著作権料を含む課金情報を、利用者ＩＤに対応づけしてメモリに記憶し、課金データベース５として管理しておく（ステップ４０８）。
【００２８】
そして、課金データベース５の情報に基づいて、携帯電話機７の事業者と連携して携帯電話機７の料金請求時にあわせて請求するなど、適宜な機会に利用者に録音ファイルダウンロードの料金の支払いを請求する。また、支払いがなされたことを確認できた際には、支払い済みの情報を課金データベース５に更新登録する。
【００２９】
＝＝＝他の実施形態＝＝＝
本発明は、携帯電話機７に接続された利用者コンピュータに携帯電話機７を介してダウンロードする構成にも適用可能である。この場合にも、利用者ＩＤとして携帯電話機７の利用者ＩＤを用いて認証する。
【００３０】
録音データのデータ形式については、カラオケ利用者支援サーバー１から利用者コンピュータにダウンロードする際に、利用者コンピュータで利用可能な形式に適宜に変換する方式も可能である。
【００３１】
【発明の効果】
この発明にかかるカラオケ録音販売システムによれば、著作権をめぐる複雑な手続が必要なカラオケ録音を通信網を介して利用者コンピュータにダウンロードさせることができる。したがって、カラオケ録音を、携帯電話機の着信メロディをはじめとして利用者コンピュータで簡単に利用できるようになるため、カラオケの新しい楽しみ方が創出される。そのため、カラオケ利用者が増大する効果も期待できる。
【図面の簡単な説明】
【図１】本発明の一実施例に係るカラオケ録音販売システム構成例を示した図である。
【図２】本発明の一実施例に係るカラオケ演奏端末における歌声録音機能実行時の処理フロー図である。
【図３】本発明の一実施例に係る録音ファイルの構成例を示した図である。
【図４】本発明の一実施例に係るカラオケ利用者支援サーバーにおける録音ファイル販売機能実行時の処理フロー図である。
【図５】本発明の一実施例に係る録音ファイル販売時の画面表示例を示した図である。
【符号の説明】
１  カラオケ利用者支援サーバー（ホスト装置）
４  著作権データベース
５  課金データベース
６  カラオケ演奏端末
７  携帯電話機（利用者コンピュータ）
【図１】
2004301884.tif 000003
【図２】
2004301884.tif 000004
【図３】
2004301884.tif 000005
【図４】
2004301884.tif 000006
【図５】
2004301884.tif 000007